【事件の表示】
　特許第３３５９５１９号「画像記録装置」の請求項１ないし３に係る特許に対する特許異議の申立てについて、次のとおり決定する。
【結　論】
　訂正を認める。
　特許第３３５９５１９号の請求項１に係る特許を維持する。
【理　由】
第１　【手続きの経緯】
　特許第３３５９５１９号の請求項１ないし３に係る発明は、平成８年１２月２０日に特許出願され、平成１４年１０月１１日にその特許権の設定登録がなされ、その後、その特許について、異議申立人石見猛により特許異議の申立てがなされ、取消しの理由が通知され、その指定期間内である平成１６年７月１２日に訂正請求（後日取下げ）がなされた後、再度取消しの理由が通知され、その指定期間内である平成１６年８月２０日に訂正請求がなされたものである。
　　　　　　　　　　　　　　　　　　　　　　　　　　　　　　　
第２　【訂正の適否についての判断】
　１　［訂正の内容］
　特許権者が求めている訂正の内容は、以下の（１）、（２）のとおりである。
　（１）訂正事項ａ
　特許請求の範囲の記載を次のとおりに訂正する。
「【請求項
１
　前記画像ファインダーを使用するか否かを切り換える表示モード
切り換え
　前記被写体を近接撮影する場合に近接撮影モードに切り換える撮影モード切り換え手段とを有し、
　前記画像ファインダーを使用しない
モード
前記撮影モード切り換え手段により前記近接撮影モードに切り換えた場合には、前記画像ファインダーが使用するモードに切り換えられ、これにより前記画像ファインダーに被写体を表示することで、
こと
　（２）訂正事項ｂ
　特許明細書の【課題を解決するための手段】欄の記載を次のとおりに訂正する。
「【課題を解決するための手段】本発明は、
画像撮影用のレンズを通して被写体を画像データとして取り込んで表示する画像ファインダーと、前記レンズを通さずに直接被写体を観察する光学ファインダーとを備えた画像記録装置において、前記画像ファインダーを使用するか否かを切り換える表示モード切り換え手段と、前記被写体を近接撮影する場合に近接撮影モードに切り換える撮影モード切り換え手段とを有し、前記画像ファインダーを使用しないモードで、前記撮影モード切り換え手段により前記近接撮影モードに切り換えた場合には、前記画像ファインダーが使用するモードに切り換えられ、これにより前記画像ファインダーに被写体を表示することで、近接撮影モードであることをユーザに知らせることを特徴とする画像記録装置に関する。
前記画像ファインダーが使用するモードに切り換えられ、これにより前記画像ファインダーに被写体を表示すること
　　　　　　　　　　　
　２　［訂正の目的の適否、新規事項の有無及び拡張・変更の存否］
　上記訂正事項ａは、訂正前の元の請求項１、２を削除し、特許請求の範囲の減縮を行い、それに伴い、訂正前の元の請求項３を繰り上げて請求項１とし、その請求項１に、特許明細書の段落【００１１】、【００１８】ないし【００２０】、【００２２】、図３の記載に基づいて、限定事項を付加するとともに誤記を訂正するものである。したがって、上記訂正事項ａは、特許請求の範囲の減縮及び誤記の訂正を目的とするものである。
　また、上記訂正事項ｂは、上記特許請求の範囲の訂正に伴い、これと整合を図るためのものであり、明りょうでない記載の釈明を目的とするものである。
　そして、上記訂正事項ａ、ｂは、いずれも特許明細書に記載されている事項の範囲内のものであり、新規事項の追加に該当せず、また実質上特許請求の範囲を拡張し、又は変更するものでもない。　　
　　　　　　　　　　　　　　
　３　［むすび］
　以上のとおりであるから、上記訂正は、特許法第１２０条の４第２項及び同条第３項において準用する同法第１２６条第２項及び第３項の規定に適合するので、当該訂正を認める。　　　　
　　　　　　　　　　　　　　　　　　　
第３　【特許異議の申立てについての判断】
　１　［本件発明］
　上記第２で示したように上記訂正が認められるから、訂正後の請求項１に係る発明（以下「本件発明」という。）は、上記訂正に係る訂正明細書の特許請求の範囲の請求項１に記載された事項により特定されるとおりのものである（上記第２の１［訂正の内容］参照）。　
　　　　　　　　　　　　　　
　２　［引用例］
　（１）当審が通知した取消しの理由に引用した甲第１号証（その１）、（その２）には、デジタルカメラ「ＣＡＭＥＤＩＡ　Ｃ−８００Ｌ」、「ＣＡＭＥＤＩＡ　Ｃ−４００Ｌ」に関し、その取扱説明書において、マクロモードボタンを押すたびに、通常モードとマクロモードの切り替えができ、近くにあるものを撮影するときはマクロモードを使うこと、そしてマクロモードの際に「マクロ」を表示させること、また液晶モニタは、液晶モニタＯＮ／ＯＦＦ（緑）ボタンを押している間のみ作動することが記載されている。
　（２）同じく引用した甲第２号証（実公平７−３３９６号公報）には、マクロ切換表示部を有したカメラにおいて、ファインダー視野領域２２の一部にマクロ切換表示部２１を表示することが記載されている。
　　　　　　　　　　　　　
　２　［当審の判断］
　甲第１号証には、デジタルカメラにおいて、マクロモードボタンを押すたびに、通常モードとマクロモードの切り替えができ、近くにあるものを撮影するときはマクロモードを使うこと、また液晶モニタは、液晶モニタＯＮ／ＯＦＦをボタンを押している間のみ作動することは記載されているが、マクロモードであることと液晶モニタの表示モードとは何ら関連しておらず、マクロモードに切り換えた場合に、画像ファインダーが使用するモードに切り換えられ、これにより画像ファインダーに被写体を表示し、マクロモードであることをユーザーに知らせることについては何ら記載がなく、示唆もない。
　すなわち、甲第１号証には、本件発明の主要な事項である「前記画像ファインダーを使用しないモードで、前記撮影モード切り換え手段により前記近接撮影モードに切り換えた場合には、前記画像ファインダーが使用するモードに切り換えられ、これにより前記画像ファインダーに被写体を表示することで、近接撮影モードであることをユーザに知らせる」点の構成（以下「構成Ａ」という。）が記載されてなく、示唆もない。
　また、甲第２号証には、ファインダー視野領域２２の一部にマクロ切換表示部２１を表示することは記載されているが、上記構成Ａについては何ら記載がなく、示唆もない。
　以上のように、上記甲各号証のいずれにも本件発明の主要な事項である上記構成Ａについては記載がなく、示唆もないのであるから、上記甲各号証を組み合わせても、本件発明が容易になし得るとはいえない。
　なお、上記構成Ａに関連して、申立人は異議申立書（６頁２１〜２３行）において、近接撮影モードで画像ファインダーを使用する状態に切り換える点は慣用技術の転換にすぎない旨主張しているが、本件発明のように、単にマクロモードで画像ファインダーを切り換えるだけでなく、画像ファインダーに被写体を表示することで、近接撮影モードであることをユーザーに知らせる点まで周知・慣用手段とすることはできない。
　そして、本件発明は、上記構成Ａを採用することによって、「液晶モニターをオフしており近接撮影となった場合には自動的に液晶モニターをオンし、光学ファインダー内または近傍の表示装置を表示させるために、使用者は視覚的に近接撮影モードであることが簡単に認識できる。しかも、その場合には自動的に液晶モニターがオンしているため、使用者は液晶モニターを使用して正確な画角合わせをおこなうことができるようになる。また、必要な時だけ液晶モニターがオンするため、消費電流を抑えることができ、動作持続時間を長くすることができる。」（特許明細書の【発明の効果】欄）等の明細書記載の顕著な効果を奏するものである。
　よって、本件発明は、上記甲第１号証、甲第２号証から容易に発明をすることができたものとはいえない。
　　　　　　　　　　　　　　　　　　　　　　　　　　　　
第４　【むすび】
　以上のとおりであるから、特許異議申立ての理由及び証拠によっては、本件発明の特許を取り消すことはできない。
　また、他に本件発明の特許を取り消すべき理由を発見しない。
　よって、結論のとおり決定する。
【異議決定日】
平成１６年８月２７日（２００４．８．２７）
【訂正の要旨】
審決（決定）の【理由】欄参照。
（５４）【発明の名称】
画像記録装置
（５７）【特許請求の範囲】
　【請求項
１
　前記画像ファインダーを使用するか否かを切り換える表示モード
切り換え
　前記被写体を近接撮影する場合に近接撮影モードに切り換える撮影モード切り換え手段とを有し、
　前記画像ファインダーを使用しない
モード
前記撮影モード切り換え手段により前記近接撮影モードに切り換えた場合には、前記画像ファインダーが使用するモードに切り換えられ、これにより前記画像ファインダーに被写体を表示することで、
こと
【発明の詳細な説明】
　【０００１】
　【発明の属する技術分野】本発明は、画像記録装置、特に電子カメラの表示手段に関する。
　【０００２】
　【従来の技術】電子カメラでは、撮影した画像を即座に再生して確認できるように液晶モニタをカメラ本体に内蔵または接続可能とし、さらにその液晶モニタ（画像ファインダー）を利用し、画像撮影用のレンズを通して被写体を画像データとして取り込んで表示することで撮影時の画角合わせにも利用したり各種情報を表示させる場合が多い。特に液晶モニタを使用した場合、実際に撮影する画像と同じ画角で画角合わせをおこなえるという大きなメリットがある。
　【０００３】しかし、液晶モニタを使用するにおいては、液晶駆動用のドライバＩＣを動作させたり、液晶用バックライトを点灯させる為に消費電流が多くなり、携帯機器としては電池等の消耗が懸念され、ユーザーは予備の電池を携行する必要がある。
　【０００４】そこで、近年、液晶モニタの他に前記レンズを通さずに直接被写体を観察する光学ファインダーを兼用して撮影時に液晶モニタをオフし光学ファインダーで撮影し、撮影画像の確認をおこなう場合にだけ液晶モニタをオンして撮影画像を確認するように液晶モニタの使用を最小限に抑えることによって電池の消耗を軽減させる電子カメラが考えられている。
　【０００５】
　【発明が解決しようとする課題】しかし、かかる電子カメラにおいては、被写体を覗く光学ファインダーの位置とレンズの位置が異なり、光学ファインダーでの近接撮影においてパララックスの影響が大きくなることから、近接撮影においては光学ファインダーで覗いて確認した画角と実際に撮影した画像の画角の差が大きくなってしまう。
　【０００６】かかる問題点を解説するために、光学ファインダー上に通常撮影時のファインダー枠と近接撮影モード時のファインダー枠をガラス表面上に印刷や蒸着することによって表示したり、ファインダー内に液晶表示板を内蔵しその液晶表示によってファインダー枠を可変させ、被写体距離に応じたファインダー枠を表示する方法が実際に用いられている。
　【０００７】しかし、光学ファインダーに表示されたファインダー枠では概略の画角が表示するだけであり実際に撮影できる画角とは異なってしまう。また、その枠を表示させるための部品代等がかかってしまいコストの面でも問題がある。
　【０００８】
　【課題を解決するための手段】本発明は、
画像撮影用のレンズを通して被写体を画像データとして取り込んで表示する画像ファインダーと、前記レンズを通さずに直接被写体を観察する光学ファインダーとを備えた画像記録装置において、前記画像ファインダーを使用するか否かを切り換える表示モード切り換え手段と、前記被写体を近接撮影する場合に近接撮影モードに切り換える撮影モード切り換え手段とを有し、前記画像ファインダーを使用しないモードで、前記撮影モード切り換え手段により前記近接撮影モードに切り換えた場合には、前記画像ファインダーが使用するモードに切り換えられ、これにより前記画像ファインダーに被写体を表示することで、近接撮影モードであることをユーザに知らせることを特徴とする画像記録装置に関する。
　【０００９】
　【００１０】
　【００１１】本発明の構成によれば、光学ファインダーを使用して近接撮影をおこなった場合に、
前記画像ファインダーが使用するモードに切り換えられ、これにより前記画像ファインダーに被写体を表示すること
　【００１２】
　【発明の実施の形態】以下図面を用いて本発明の実施例を説明する。図１は本発明の実施例のカメラの概略外観図であり、図２は本発明の実施例の構成の概略図であり、図３は本発明の実施例の概略制御フローチャートである。
　【００１３】図１，２において１は撮影レンズ光学系及び撮像回路、２はＡＤＣ（アナログディジタル変換器）、３は撮像回路に各種タイミングを与えるＴＧ（タイミングジェネレータ）、４は画像データを一時的に格納するＲＡＭ、５は画像処理をおこなう信号処理プロセッサ、６は撮影時または撮影後の画像を表示する液晶モニタ、７は液晶モニタ６を駆動するための液晶ドライバ回路、８液晶モニタに表示する画像データを格納する為のＶＲＡＭ、９は画像データを記録するための記録媒体、１０は記録媒体９の装着を検出するための記録媒体装着検出回路、１１は画像表示制御手段１７を含むカメラ全体の動作を制御するＭＰＵ（マイクロプロセッサユニット）、１２は撮影モードまたは再生モードまたはパワーオフを選択するためのカメラモードスイッチ、１３は撮影のタイミングを与えるレリーズスイッチ、１４は液晶モニタをオン／オフするための液晶オン・オフスイッチ、１５は撮影モードを通常撮影モードと近接撮影モードとを切り換えるための撮影モードスイッチ、１６は近距離警告ＬＥＤ、１７はＭＰＵ１１に内蔵される画像表示制御手段、１８は光学ファインダーである。
　【００１４】つぎに、このような構成における動作について図２，図３に基づいて説明する。カメラモードスイッチ１２によってパワーオフ（ＯＦＦ）から撮影モード（ＲＥＣ）に変更されるとＭＰＵ１１は記録媒体９が装着されていることを記録媒体装着検出回路１０から出力される信号によって検出し、記録媒体９の空き容量を信号処理プロセッサ５を通じて調査し、その空き容量から記録可能枚数をＭＰＵ１１は内部メモリに保存する。
　【００１５】次にＭＰＵ１１は、液晶オン・オフスイッチ１４の状態を検出する。液晶オンモードに設定されていればＭＰＵ１１はＴＧ３と信号処理プロセッサ５を起動する。ＴＧ３が起動されると撮影レンズ光学系及び撮像回路１を起動し被写体画像をアナログ信号で出力させる。そのアナログ信号はＡＤＣ２によってディジタル信号へ変換され、ＲＡＭ４へ格納される。その後、ＭＰＵ１１は信号処理プロセッサ５へ液晶モニタ出力処理の指令をおこなう。
　【００１６】これにより信号処理プロセッサ５が信号処理をおこないＶＲＡＭ８へ画像データを格納する。ＶＲＡＭ８へ格納された画像データはＭＰＵ１１が画像表示制御手段１７を通じて液晶ドライバ７を起動することによって液晶モニタ６へ表示される。このような処理を繰り返すことによって液晶モニタ６へ撮影しようとしている画像がリアルタイムで表示される。その後レリーズスイッチ１３がオンされるとＭＰＵ１１は信号処理プロセッサ５へ記録の指令をおこなう。記録指令を受けた信号処理プロセッサ５はＲＡＭに格納されている画像データを信号処理および圧縮等をおこない、記録媒体９へ記録する。
　【００１７】一方、液晶オン・オフスイッチ１４の状態が液晶オフモードに設定されており、撮影モードスイッチ１５の状態が通常撮影モードに設定されている場合には、近接撮影でないと見做しレリーズスイッチ１４を押された時点でＭＰＵ１１はＴＧ３と信号処理プロセッサ５を起動し、ＴＧ３は撮影レンズ光学系及び撮像回路１を起動し被写体画像をアナログ信号で出力させる。そのアナログ信号はＡＤＣ２によってディジタル信号へ変換され、ＲＡＭ４へ格納される。その後、ＭＰＵ１１は信号処理プロセッサ５へ記録の指令をおこなう。記録指令を受けた信号処理プロセッサ５はＲＡＭに格納されている画像データを信号処理および圧縮等をおこない、記録媒体９へ記録する。
　【００１８】しかし、ＭＰＵ１１は撮影モードスイッチ１５の状態が近接撮影モードに設定されている場合には、近距離警告ＬＥＤ１６を点滅させると共に、ＴＧ３と信号処理プロセッサ５を起動する。ＴＧ３が起動されると撮影レンズ光学系及び撮像回路１を起動し被写体画像をアナログ信号で出力させる。そのアナログ信号はＡＤＣ２によってディジタル信号へ変換され、ＲＡＭ４へ格納される。その後、ＭＰＵ１１は信号処理プロセッサ５へ液晶モニタ出力処理の指令をおこなう。
　【００１９】次に信号処理プロセッサ５が信号処理をおこないＶＲＡＭ８へ画像データを格納する。ＶＲＡＭ８へ格納された画像データは、ＭＰＵ１１が画像表示制御手段１７を通じて液晶ドライバ７を起動することによって液晶モニタ６へ表示される。このような処理を繰り返すことによって液晶モニタ６へ撮影しようとしている画像がリアルタイムで表示される。その後レリーズスイッチ１３がオンされるとＭＰＵ１１は信号処理プロセッサ５へ記録の指令をおこなう。記録指令を受けた信号処理プロセッサ５はＲＡＭに格納されている画像データを信号処理および圧縮等をおこない、記録媒体９へ記録する。
　【００２０】カメラモードスイッチ１２が再生モードに設定されていた場合には、信号処理プロセッサ５へＭＰＵ１１が再生の指令をおこなう。再生指令を受け取った信号処理プロセッサ５は記録媒体９より画像データを取り込みＲＡＭ４へ一時格納をおこなう。その後信号処理プロセッサは圧縮されている画像データの伸張および信号処理をおこないＶＲＡＭ８へ再生画像データを格納する。信号処理プロセッサ５は信号処理完了をＭＰＵ１１へ連絡し、その連絡を受けたＭＰＵ１１は画像表示制御手段１７を通じて液晶ドライバ７を起動する。液晶ドライバ７はＶＲＡＭ８へ格納されている再生画像データを液晶モニタに表示させる。
　【００２１】次に他の実施例について図３，図４を用いて説明する。なお、図３の実施例は上述の実施例と共通である。図４は本発明の他の実施例の構成の概略図であり、上述の実施例は近接撮影かどうかをユーザが撮影モードＳＷ１５で選択するものであるのに対して、本実施例は測距回路２０を用いて被写体までの距離を測定し、ＭＰＵ１１に内蔵される近接撮影判定手段１９により近接撮影か否かを判定させるものである。具体的には液晶オン・オフスイッチ１４の状態が液晶オフモードに設定されていた場合は、ＭＰＵ１１は測距回路２０から被写体までの距離情報を得て、近接撮影判定手段１９によって被写体距離が規定の距離以上離れていて近接でないか否かを判断し、規定距離以上離れいる場合にはレリーズスイッチ１４を押された時点で、ＭＰＵ１１はＴＧ３と信号処理プロセッサ５を起動し、ＴＧ３は撮影レンズ光学系及び撮像回路１を起動し被写体画像をアナログ信号で出力させる。しかし、近接でない場合には近距離警告ＬＥＤ１６を点滅させると共に、ＴＧ３と信号処理プロセッサ５を起動する。以降は、上述の実施例と同様に作動する構成になっている。
　【００２２】
　【発明の効果】以上説明したように本発明の構成によれば、液晶モニターをオフしており近接撮影となった場合には自動的に液晶モニターをオンし、光学ファインダー内または近傍の表示装置を表示させるために、使用者は視覚的に近接撮影モードであることが簡単に認識できる。しかも、その場合には自動的に液晶モニターがオンしているため、使用者は液晶モニターを使用して正確な画角合わせをおこなうことができるようになる。また、必要な時だけ液晶モニターがオンするため、消費電流を抑えることができ、動作持続時間を長くすることができる。
【図面の簡単な説明】
　【図１】本発明の実施例のカメラの概略外観図
　【図２】本発明の実施例の構成の概略図
　【図３】本発明の実施例の概略制御フローチャート
　【図４】本発明の実施例の構成の概略図
　【符号の説明】
　１　撮影レンズ光学系及び撮像回路
　２　ＡＤＣ
　３　ＴＧ
　４　ＲＡＭ
　５　信号処理プロセッサ
　６　液晶モニタ
　７　液晶ドライバ回路
　８　ＶＲＡＭ
　９　記録媒体
　１０　記録媒体装着検出回路
　１１　ＭＰＵ
　１２　カメラモードスイッチ
　１３　レリーズスイッチ
　１４　液晶オン・オフスイッチ
　１５　撮影モード切り換えスイッチ
　１６　近距離警告ＬＥＤ
　１７　画像表示制御手段
　１８　光学ファインダー
　１９　近接撮影判定手段
　２０　測距回路